(57)【特許請求の範囲】
【請求項１】
キャビネットと、このキャビネットの外面のうち背面又は側面若しくは両面に取り付くパネル装置との組み合わせであって、
前記パネル装置は、前記キャビネットの外面に重なるように配置されたメインパネルと、キャビネットの天面の上方に位置したサブパネルとを備えており、
前記メインパネルは、前記キャビネットの天面の上方と下方との両方向に一連に延びるように形成されており、このメインパネルのうちキャビネットの天面から上方に突出した部分でかつキャビネットの側の部位に前記サブパネルを装着しており、更に、前記メインパネルには、キャビネットの外面及びサブパネルの側に向けて開口した配線通路を形成している、
キャビネットとパネル装置との組み合わせ。
【請求項２】
前記キャビネットの天面とサブパネルの下端との間には、前記配線空間からコード類を引き出し得る隙間が空いており、更に、前記サブパネルに、キャビネットの側に露出したコンセントを設けている、
請求項１に記載したキャビネットとパネル装置との組み合わせ。
【請求項３】
天面を天板で構成したキャビネットと、このキャビネットの外面のうち背面又は側面若しくは両方に取付けるパネル装置との組み合わせであって、
前記パネル装置は、キャビネットの外面に向けて開口する配線空間が形成されたメインパネルを備えており、このメインパネルは、キャビネットにおける天板の下面の高さまで延びるように設けられている一方、前記キャビネットの天板は、平面視で前記メインパネルと重なるようにオーバーハング状に形成されており、キャビネットにおける天板のオーバーハング部に、前記メインパネルの配線空間に連通したコード引き出し穴と前記配線空間に通したコードに接続されたコンセントとのうちいずれか一方又は両方を設けている、キャビネットとパネル装置との組み合わせ。
【発明の詳細な説明】
【０００１】
【発明の属する技術分野】
本発明は、キャビネット（収納家具）とその背面又は側面に取り付けるパネル装置との組み合わせに関するものである。
【０００２】
【従来の技術】
化粧用等の目的で、キャビネットの背面又は側面若しくは上面にパネルを取り付けることが行われている。
【０００３】
その一例として、実公平３─３６２６４号公報には、キャビネットの背面の左右両側部にねじで支持杆（支柱）を固着し、この支持杆にパネルを装着することが記載されている。また、この公報には、キャビネットとパネルとの間に隙間を設けて、この隙間を配線空間に利用することも記載されている。
【０００４】
【発明が解決しようとする課題】
ところで、オフィス等において複数のキャビネットを設置する場合、高さの異なるキャビネットを左右に並べて設置することがある。この場合、キャビネットの高さがまちまちであるため美観に劣る問題があった。
【０００５】
また、キャビネット（特に高さの低いキャビネット）に電気（電子）機器を載せることも多いが、この場合、前記公報のように背面に化粧パネルを取付けただけの構成では、電気機器の目隠し機能がないため体裁が悪い場合があり、また、電気機器に設けた電源コードを建物に設けたコンセントに接続するに際して、コードの長さが足りなくて接続に苦労するといった問題があった。
【０００６】
結局、従来のパネル装置は、キャビネットの背面が人目に触れる場合に、当該キャビネットの背面を化粧することを主たる目的としており、このため、キャビネットの上面に電気機器を設置する場合のようにキャビネットを他の用途に利用する場合の問題や、キャビネット群を左右に並設した場合の全体の美観の問題などへの対策は考慮されていなかったと言える。
【０００７】
本発明は、このような現状を改善することを技術的課題とするものである。
【０００８】
【課題を解決するための手段】
請求項１の発明は、キャビネットと、このキャビネットの外面のうち背面又は側面若しくは両面に取り付くパネル装置との組み合わせに係るもので、前記パネル装置は、前記キャビネットの外面に重なるように配置されたメインパネルと、キャビネットの天面の上方に位置したサブパネルとを備えており、前記メインパネルは、前記キャビネットの天面の上方と下方との両方向に一連に延びるように形成されており、このメインパネルのうちキャビネットの天面から上方に突出した部分でかつキャビネットの側の部位に前記サブパネルを装着しており、更に、前記メインパネルには、キャビネットの外面及びサブパネルの側に向けて開口した配線通路を形成している。
【０００９】
また、請求項２の発明は請求項１をより具体化したもので、前記キャビネットの天面とサブパネルの下端との間には、前記配線空間からコード類を引き出し得る隙間が空いており、更に、前記サブパネルに、キャビネットの側に露出したコンセントを設けている。
【００１０】
請求項２とは異なって、サブパネルの下端をキャビネットの天面に当てても良いのであり、また、サブパネルにはコンセントを設けることには限らず、化粧機能や仕切り機能のためのみに設けたり、メモ類を止めるピンナップ機能を持たせたり、或いは、水性ペン等の筆記具で書き込みできる書き込みボード機能を持たせたりというように、サブパネルには様々の機能を持たせることができる。
【００１１】
請求項３の発明は、キャビネットの上面に電気（電子）機器を設置する場合の便を考慮したものである。すなわち請求項３の発明は、天面を天板で構成したキャビネットと、このキャビネットの外面のうち背面又は側面若しくは両方に取付けるパネル装置との組み合わせにおいて、前記パネル装置は、キャビネットの外面に向けて開口する配線空間が形成されたメインパネルを備えており、このメインパネルは、キャビネットにおける天板の下面の高さまで延びるように設けられている一方、前記キャビネットの天板は、平面視で前記メインパネルと重なるようにオーバーハング状に形成されており、キャビネットにおける天板のオーバーハング部に、前記メインパネルの配線空間に連通したコード引き出し穴と前記配線空間に通したコードに接続されたコンセントとのうちいずれか一方又は両方を設けている。
【００１２】
【発明の作用・効果】
請求項１の構成によると、パネル装置がキャビネットの上方まで延びているため、例えば、高さの異なる複数のキャビネットを並設する場合は、高さの低いキャビネットに設けたパネル装置の高さを高さの高いキャビネットの高さに揃えたり、或いは、各キャビネットに設けたパネル装置の高さを揃えたりというようにして、キャビネット群の美観を向上させることが可能となる。
【００１３】
また、パネル装置がキャビネットの上方に延びているため、キャビネット上に設置した物品の落下を防止することもできるし、サブパネルをピンナップボード等の様々の用途に使用することも可能になる。特に、請求項２のようにサブパネルにコンセントを設けると、キャビネット上に載置した電気（電子）機器の電源コードの接続を至極容易に行うことができ、また、サブパネルとキャビネットとの間に隙間が空いているため、通信ケーブルの配線などもしごく容易に行うことができて、特に好適である。
【００１４】
請求項３の構成によると、キャビネット上で使用する電気（電子）機器の電源コードの接続が容易であると共に、電源等のコード類や通信ケーブル類を美麗に処理することができる。しかも、キャビネットの天板はパネル装置に重なっているため、キャビネットの上面を広々と使用することができ、しかも、キャビネットの上面がすっきりするため、美観においても優れている。
【００１５】
【発明の実施形態】
次に、本発明の実施形態を図面に基づいて説明する。
【００１６】
≪第１実施形態≫
図１〜図９では第１実施形態を示しており、この実施形態には請求項１〜３の具体例がそれぞれ盛り込まれている。図１は、パネル装置を備えたキャビネット群の設置状態を示す斜視図であり、高さの低い第１キャビネット１と、同じ高さの第２キャビネット２及び第３キャビネット３を左右に並設している。
【００１７】
第１キャビネット１には、電気（電子）機器の一例としてのファクス４を載せている。また、各キャビネット１，２，３は、中空状のベース５に載置されている。各ベース５の左右側面と背面とにはコード挿通穴６が空いており、従って、各ベース５の内部にコードＣを自在に通すことができ、また、各ベース５から後方にコードＣを引き出すことができる。各ベース５の前面にはコンセント７を設けている。
【００１８】
各キャビネット１，２，３の背面には、第１〜第３のパネル装置８，９，１０を取付けている。これらのパネル装置８，９，１０の構成部材の多くは共通しており、このため、共通する部材は同じ符号で示す。以下、詳述する。
【００１９】
〔第１パネル装置〕
第１パネル装置８の詳細は図２〜図５に示されている。図２は第１パネル装置８の分離斜視図、図３は要部の分離斜視図、図４は図１のIV−IV視断面図、図５のうち（Ａ）は図１のVA−VA視断面図、（Ｂ）は（Ａ）のＢ−Ｂ視断面図である。
【００２０】
第１パネル装置８は、左右一対の支柱１１と、その後面に配置した第１、第２のバックパネル１２，１３と、支柱１１の上部前面に配置した第１サブパネル１４とを備えている。支柱１１は平面視コ字状に形成されており（中空角形等の他の断面形状でもよい）、第１キャビネット１の背面にねじや係止金具等の適当な手段で固定される。
【００２１】
支柱１１は、第２キャビネット２における天板２９の下面と同じ高さまで延びている。左右支柱１１と両バックパネル１２，１３とで請求項に記載したメインパネルが構成されている。
【００２２】
第１及び第２のバックパネル１２，１３は、その上下高さ寸法が違うだけで基本的には同じ構造である。図３〜図５に示すように、両バックパネル１２，１３とも金属板を薄箱状に折り曲げることによって形成されており、表面にはクロス１５が張られている。
【００２３】
各バックパネル１２，１３における裏面の四隅部にはそれぞれ合成樹脂製の係止ブロック１６が装着されており、下部に配置した左右の係止ブロック１６には下向き鉤状の下爪１７が一体に設けられている。また、上部の左右係止ブロック１６には、上向き突起を備えた板状の上爪１８と、その下方に位置した側面視山形のストッパー片１９とが形成されている。
【００２４】
支柱１１には各爪１７，１８に対応して一対ずつの溝穴２０，２１が空けられており、図３や図５から容易に理解できるように、先に下爪１６を下溝穴２０に落とし込んでから、上爪１７とストッパー片１８とを上溝穴２１に弾性に抗して押し込み挿入することにより、バックパネル１２，１３を支柱１１に装着することができる。
【００２５】
バックパネル１２，１３の折り返し縁部が支柱１１の後面に当たっており、このため、第１バックパネル１２と第１キャビネット１との間には、コードＣを自在に挿通できる配線空間２２が空いている。また、図４に示すように、配線空間２２は下方に開口しており、ベース５との間にコードＣを自在に挿通できる。
【００２６】
図４に示すように、第１バックパネル１２の上下折り曲げ部の内側には補強部材２３を挿入している。また、同じく図４に一点鎖線で示すように、第１バックパネル１２（及び／又は第２バックパネル１３）の内面に、コードＣの余長部分を収納する配線樋２４を設けても良い。
【００２７】
例えば図５から容易に理解できるように、第１サブパネル１４は基本的には第２バックパネル１３と同じ構造であり、コンセント２５を装着している点で異なるのみである。従って、第１サブパネル１４も、上下爪１６，１７を溝穴２１，２２に係脱させることによって支柱１１に着脱自在に取付けている。第２バックパネル１３の上端端第１サブパネル１４の上端との間の隙間は、左右支柱１１に係止された天カバー２６で塞がれている。
【００２８】
支柱１１は第１キャビネット１の背面に当接しているため、第１サブパネル１４は平面視で第１キャビネット１と重なっている。このようにすると、メインパネルの厚さが過度に厚くなることを防止できる利点がある。
【００２９】
図４に示すように、第１バックパネル１２は第１キャビネット１の上面よりもやや上方まで延びている一方、第２バックパネル１３と第１サブパネル１４との下端は同じ高さになっており、このため、第１サブパネル１４と第１キャビネット１との間には、コードＣを自在に引き出しできる隙間２７が空いている。図４の符号２８はプラグである。
【００３０】
〔第２パネル装置〕
第２パネル装置２は図６に示されている。このうち（Ａ）は図１のVI−VI視断面図、（Ｂ）は（Ａ）のＢ−Ｂ視平面図である。
【００３１】
第２パネル装置２は、第１パネル装置１から第１サブパネル１４と天カバー２６とを取り外した構成と全く同じである。換言すると、第２パネル装置２と第１パネル装置１とは大部分の部材が共通している。このため部材についての説明は省略する。
【００３２】
第２キャビネット２の天板２９は平面視で第２パネル装置２と重なるように後方にオーバーハングしており、このオーバーハング部２９ａに、第２パネル装置２の配線空間２２と連通するコード引き出し穴３０を空けている。コード引き出し穴３０はエッジ３１で保護されている。コード引き出し穴３１を設けることに代えて、又はこれに加えてコンセントを設けても良い。コンセントを設ける場合、その上面が天板２９の上面と略同一面に揃えるのが好ましい。
【００３３】
〔第３パネル装置〕
第３パネル装置３は図７〜図９で示されている。図７のうち（Ａ）は大雑把な分離側面図、（Ｂ）は図１の VIIB-VIIB視断面図、（Ｃ）は第３サブパネル３２の部分断面図、図８は図７（Ｂ）のVIII-VII視平断面図、図９は図８のIX−IX視断面図である。
【００３４】
図７（Ａ）に示すように、第３パネル装置３は、第３キャビネット３の上方に長く延びる支柱１１と、その背面に配置した第１〜第３のバックパネル１２，１３，３３と、支柱１１の上部前面に配置した第３サブパネル３２と、天カバー２６とから成っている。第３バックパネル３３は第２バックパネル１３と構成的には同じであり、第２バックパネル１３の上面と第３バックパネル３３の下面とは、第３キャビネット３の天面と同じ高さになっている。
【００３５】
第３サブパネル３２は、メモや書類等の紙類３４を押しピン３５で止めることができるピンナップ機能を持っており、このため、ピン３５を抜き差し自在な基板３６に化粧クロス１５を張った構造になっている。基板３６の裏面には上下一対の金属板製補強部材３７が装着されており、これらの補強部材３７に取付けた爪３８を溝穴２０，２１に係脱させることにより、支柱１１に着脱自在に取付けられる。
【００３６】
第３サブパネル３２の下面を第３キャビネット３の天面に当てているが、第３サブパネル３２と第３キャビネット３の天面との間に、コードＣを出し入れ自在な隙間を設けても良い。
【００３７】
第３サブパネル３２の基板３６を、図７（Ｃ）に示すように、パーライトのような低密度層３６ａの両面に、ロックウールのような高密度層３６ｂを張り合わせた構造にすると、押しピン３５が抜けにくいと共に耐久性が高くて好適である。
【００３８】
本実施形態のように、各パネル装置１，２，３で同じ構造・寸法のバックパネル１２，１３，３３を使用すると、それだけ部材を共通化できる利点がある。また、支柱１１を使用することにより、バックパネル１２，１３，３３を分離することが可能となる。
【００３９】
≪他の実施形態≫
図１０〜図１１では他の実施形態を示している。このうち図１０〜図１１で示すのは第２実施形態で、図１０は分離平面図、図１１のうち（Ａ）は分離側面図、（Ｂ）は平断面図、（Ｃ）は（Ｂ）のＣ−Ｃ断面図である。
【００４０】
この第２実施形態は、前記実施形態のような支柱１１を使用せずに、バックパネル４０を直接にキャビネット４１に取り付けるようにしている。すなわち、バックパネル４０の左右両側部に、スペーサ機能を果たす折り曲げ部４０ａを形成し、この折り曲げ部４０ａを係止金具等の適当な手段でキャビネット４１の背面に取り付けることにより、バックパネル４０とキャビネット４１との間にコードＣの配線空間２２を形成したものである。従って、この場合は、バックパネル４０が請求項に記載したメインパネルとなる。
【００４１】
この実施形態においてサブパネル４２の取付け手段としては、図１１（Ｂ）（Ｃ）に示すように、バックパネル４０の折り曲げ部４０ａに係合穴４３を形成して、この係合穴４３に、サブパネル４２の側部裏面に切り起こし形成した爪４４を落とし込むなどしてもよい。もちろん、金具を使用するなど、他の手段を採用しても良い。
【００４２】
図１２に示すのは、第１実施形態で示した第２パネル装置２と似た構成において、第２キャビネット２の天板２９を金属板製としたものである。この実施形態では支柱は存在せず、第２実施形態と同様に、バックパネル４０をキャビネット３の背面に当てている。
【００４３】
≪その他≫
本発明は上記の実施形態の他にも様々の態様に具体化できる。例えば、パネル装置はキャビネットの側面に配置することもできるし、また、各パネルの素材には限定はなく、木製や合成樹脂製などでもよい。
【００４４】
更に、キャビネットの裏側に机を配置する場合などには、第２バックパネル１３や第３バックパネル３３を第３サブパネル３２と同様のピッナップ構造にしたり、任意のバックパネル１２，１３，３３にコンセントを取付けたりすることも可能である。
【図面の簡単な説明】
【図１】キャビネット群の斜視図である。
【図２】第１パネル装置の分離斜視図である。
【図３】第１パネル装置の要部の分離斜視図である。
【図４】図１のIV−IV視断面図である。
【図５】(A)は図１のVA−VA視断面図、 (B)は (A)の B-B視断面図である。
【図６】(A)は図１のVI−VI視断面図、 (B)は (A)の B-B視平面図である。
【図７】(A)は第３パネル装置の概略分離側面図、 (B)は図１の VIIB-VIIB視断面図、 (C)は第３サブパネルの部分断面図である。
【図８】図７（Ｂ）のVIII-VII視平断面図である。
【図９】図８のIX−IX視断面図である。
【図10】第２実施形態の分離平面図である。
【図11】(A)は分離側面図、 (B)は平断面図、 (C)は (B)の C-C断面図である。
【図12】第３実施形態の断面図である。
【符号の説明】
１，２，３  キャビネット
８  第１パネル装置
９  第２パネル装置
１０  第３パネル装置
１１  支柱
１２，１３，３３  メインパネルを構成するバックパネル
１４，３２  サブパネル
１７，１８，３８  爪
２０，２１  溝穴
２２  配線空間
２５  コンセント
２７  隙間
３０  コード挿通穴
【図１】
0003575530.tif 000002
【図２】
0003575530.tif 000003
【図３】
0003575530.tif 000004
【図４】
0003575530.tif 000005
【図５】
0003575530.tif 000006
【図６】
0003575530.tif 000007
【図７】
0003575530.tif 000008
【図８】
0003575530.tif 000009
【図９】
0003575530.tif 000010
【図１０】
0003575530.tif 000011
【図１１】
0003575530.tif 000012
【図１２】
0003575530.tif 000013